(57)【要約】      （修正有）【課題】二つ折りの状態を長く維持することができる二つ折り印画物を作製する方法を提供する。【解決手段】はじめに、印画シート２の各受容層に、昇華性インクを用いる昇華転写により所定の画像を印画する。次に、印画済の印画シート２に、印画シート２を二つ折りにするための折曲線２０を形成する。その後、折曲線２０により区画される印画シート２の二つの領域のうち一方の領域１１の側端部１１ａ近傍に、他方の領域１２の側端部１２ａが挿入される切込１３を形成する。【選択図】図４
2012071959.tif 000002
【特許請求の範囲】
【請求項１】
二つ折り印画物を作製する方法において、
紙基材と、紙基材の両面に設けられ、昇華性インクを受容する受容層を含む樹脂層と、を有する印画シートを準備する工程と、
印画シートの各受容層に、昇華性インクを用いる昇華転写により所定の画像を印画する工程と、
印画済の印画シートに、印画シートを二つ折りにするための折曲線を形成する折曲線形成と、
折曲線により区画される前記印画シートの二つの領域のうち一方の領域の側端部近傍に、他方の領域の一部分が挿入される切込を形成する切込形成工程と、を備えたことを特徴とする二つ折り印画物の作製方法。
【請求項２】
前記二つ折り工程と前記切込形成工程とが同時に実施されることを特徴とする請求項１に記載の二つ折り印画物の作製方法。
【請求項３】
前記一方の領域の前記切込に挿入される前記他方の領域の一部分は、前記他方の領域における側端部を含むことを特徴とする請求項１または２に記載の二つ折り印画物の作製方法。
【請求項４】
前記一方の領域の前記切込に挿入される前記他方の領域の一部分は、前記他方の領域に設けられた突出部を含むことを特徴とする請求項１乃至３のいずれかに記載の二つ折り印画物の作製方法。
【請求項５】
前記突出部は、前記他方の領域のうち前記一方の領域の前記切込に対応する部分に半円状の切込を入れることにより形成されることを特徴とする請求項４に記載の二つ折り印画物の作製方法。
【請求項６】
二つ折り印画物を作製する方法において、
紙基材と、紙基材の両面に設けられ、昇華性インクを受容する受容層を含む樹脂層と、を有する印画シートを準備する工程と、
印画シートの各受容層に、昇華性インクを用いる昇華転写により所定の画像を印画する工程と、
印画済の印画シートを二つ折りにするための折曲線を形成する折曲線形成工程と、
折曲線により区画される前記印画シートの二つの領域のうち一方の領域の一部分を他方の領域に溶着させて溶着部を形成する溶着部形成工程と、を備えたことを特徴とする二つ折り印画物の作製方法。
【請求項７】
前記溶着部は、前記印画シートの前記一方の領域を側端部近傍で他方の領域に点状に溶着させることにより形成される点状溶着部からなることを特徴とする請求項６に記載の二つ折り印画物の作製方法。
【請求項８】
前記溶着部は、前記印画シートの前記一方の領域を前記折曲線近傍で他方の領域に線状に溶着させることにより形成される線状溶着部からなることを特徴とする請求項６に記載の二つ折り印画物の作製方法。
【発明の詳細な説明】
【技術分野】
【０００１】
本発明は、紙基材と、紙基材の両面に設けられ、昇華性インクを受容する受容層を含む樹脂層と、を有する印画シートを二つ折りにして二つ折り印画物を作製する方法に関する。
【背景技術】
【０００２】
近年、パーティなどのイベントの招待状には、文字だけでなく写真などの画像が印画される場合がある。写真などの画像を印画する手段としては、インクジェット等を用いた印刷や、サーマルヘッドを用いた感熱昇華転写が考えられる。ここで一般に、インクジェット等で印画された写真は、サーマルヘッドを用いた感熱昇華転写の写真よりも画質が劣っている。従って、写真をより高画質で印画するためには、印画方法として、サーマルヘッドを用いた感熱昇華転写が用いられることが望ましい。
【０００３】
感熱昇華転写においては、例えば特許文献１に記載されているように、基材上に受容層を含む樹脂層が設けられた印画シートと、基材上に昇華性インクを含有する染料層を有する熱転写シートとを重ねて加熱することにより、印画シート上に画像が印画される。
【先行技術文献】
【特許文献】
【０００４】
【特許文献１】特開２００６−１８２０１２号公報
【発明の概要】
【発明が解決しようとする課題】
【０００５】
パーティなどのイベントの招待状は、一般に二つ折りにされた状態で配布される。ところで、招待状を構成する印画シートの樹脂層は、上述のように受容層を含んでおり、このような樹脂層は一般に厚くて腰がある層となっている。このため、印画シートを単に二つ折りにするだけでは、樹脂層の弾性によって、二つ折りにされた印画シートが開いてしまうことが考えられる。すなわち、二つ折りの状態を長く維持することができないと考えられる。
【０００６】
本発明は、このような課題を効果的に解決し得る二つ折り印画物の作製方法を提供することを目的とする。
【課題を解決するための手段】
【０００７】
第１の本発明は、二つ折り印画物を作製する方法において、紙基材と、紙基材の両面に設けられ、昇華性インクを受容する受容層を含む樹脂層と、を有する印画シートを準備する工程と、印画シートの各受容層に、昇華性インクを用いる昇華転写により所定の画像を印画する工程と、印画済の印画シートに、印画シートを二つ折りにするための折曲線を形成する折曲線形成工程と、折曲線により区画される前記印画シートの二つの領域のうち一方の領域の側端部近傍に、他方の領域の一部分が挿入される切込を形成する切込形成工程と、を備えたことを特徴とする二つ折り印画物の作製方法である。
【０００８】
第１の本発明による二つ折り印画物の作製方法において、前記折曲線形成工程と前記切込形成工程とが同時に実施されてもよい。
【０００９】
第１の本発明による二つ折り印画物の作製方法において、前記一方の領域の前記切込に挿入される前記他方の領域の一部分は、前記他方の領域における側端部を含んでいてもよい。
【００１０】
第１の本発明による二つ折り印画物の作製方法において、前記一方の領域の前記切込に挿入される前記他方の領域の一部分は、前記他方の領域に設けられた突出部を含んでいてもよい。
【００１１】
第１の本発明による二つ折り印画物の作製方法において、前記突出部は、前記他方の領域のうち前記一方の領域の前記切込に対応する部分に半円状の切込を入れることにより形成されてもよい。
【００１２】
第２の本発明は、紙基材と、紙基材の両面に設けられ、昇華性インクを受容する受容層を含む樹脂層と、を有する印画シートを準備する工程と、印画シートの各受容層に、昇華性インクを用いる昇華転写により所定の画像を印画する工程と、印画済の印画シートを二つ折りにするための折曲線を形成する折曲線形成工程と、折曲線により区画される前記印画シートの二つの領域のうち一方の領域の一部分を他方の領域に溶着させて溶着部を形成する溶着部形成工程と、を備えたことを特徴とする二つ折り印画物の作製方法である。
【００１３】
第２の本発明による二つ折り印画物の作製方法において、前記溶着部は、前記印画シートの前記一方の領域を側端部近傍で他方の領域に点状に溶着させることにより形成される点状溶着部からなっていてもよい。
【００１４】
第２の本発明による二つ折り印画物の作製方法において、前記溶着部は、前記印画シートの前記一方の領域を前記折曲線近傍で他方の領域に線状に溶着させることにより形成される線状溶着部からなっていてもよい。
【発明の効果】
【００１５】
第１の本発明によれば、印画シートは、紙基材と、紙基材の両面に設けられ、昇華性インクを受容する受容層を含む樹脂層と、を有している。また、折曲線により区画される印画シートの二つの領域のうち一方の領域の側端部近傍に、他方の領域の一部分が挿入される切込が形成される。このため、印画シートを二つ折りにする際、他方の領域の一部分を一方の領域の切込に挿入することにより、他方の領域を一方の領域に対して固定することができる。このことにより、二つ折り印画物を構成する印画シートが受容層を含む樹脂層を有する場合であっても、二つ折りの状態を強固に維持することができる。
【００１６】
第２の本発明によれば、印画シートは、紙基材と、紙基材の両面に設けられ、昇華性インクを受容する受容層を含む樹脂層と、を有している。また、折曲線により区画される印画シートの二つの領域のうち一方の領域の一部分が他方の領域に溶着させられ、これによって溶着部が形成される。この溶着部により、他方の領域を一方の領域に対して固定することができる。このことにより、二つ折り印画物を構成する印画シートが受容層を含む樹脂層を有する場合であっても、二つ折りの状態を維持することができる。
【図面の簡単な説明】
【００１７】
【図１】図１（ａ）は、本発明の第１の実施の形態における二つ折り招待状を示す図、図１（ｂ）は、図１（ａ）に示す二つ折り招待状を開いた場合を示す図。
【図２】図２は、二つ折り招待状を構成する印画シートの層構成を示す断面図。
【図３】図３は、本発明の第１の実施の形態において、二つ折り招待状を作製するための作製装置を示す図。
【図４】図４（ａ）〜（ｄ）は、本発明の第１の実施の形態において、二つ折り招待状の作製方法を示す図。
【図５】図５は、図３に示す作製装置の変形例を示す図。
【図６】図６（ａ）は、本発明の第１の実施の形態の変形例における二つ折り招待状を示す図、図６（ｂ）は、図６（ａ）に示す二つ折り招待状を開いた場合を示す図。
【図７】図７（ａ）は、本発明の第２の実施の形態における二つ折り招待状を示す図、図７（ｂ）は、図７（ａ）に示す二つ折り招待状を開いた場合を示す図。
【図８】図８は、本発明の第２の実施の形態において、二つ折り招待状を作製するための作製装置を示す図。
【図９】図９（ａ）は、本発明の第３の実施の形態における二つ折り招待状を示す図、図９（ｂ）は、図９（ａ）に示す二つ折り招待状を開いた場合を示す図。
【図１０】図１０（ａ）は、本発明の第４の実施の形態における二つ折り招待状を示す図、図１０（ｂ）は、図１０（ａ）に示す二つ折り招待状を開いた場合を示す図。
【発明を実施するための形態】
【００１８】
第１の実施の形態
以下、図１乃至図６（ａ）（ｂ）を参照して、本発明の第１の実施の形態について説明する。はじめに図１を参照して、本実施の形態による二つ折り印画物について説明する。
【００１９】
二つ折り印画物
図１（ａ）は、二つ折り印画物、例えば二つ折り招待状１を示す図であり、図１（ｂ）は、開かれた状態にある二つ折り招待状１を示す図である。図１（ａ）（ｂ）に示すように、二つ折り招待状１は、一面２ａと他面２ｂを有し、画像が印画された印画シート２を折曲線２０に沿って二つ折りにすることにより構成されている。ここで図１（ａ）に示すように、印画シート２の一面２ａおよび他面２ｂのうち、印画シート２が二つ折りにされて二つ折り招待状１となった場合に外側に位置するのが一面２ａとなっており、内側に位置するのが他面２ｂとなっている。
【００２０】
次に図１（ｂ）を参照して、印画シート２の構造について説明する。図１（ｂ）に示すように、印画シート２を折曲線２０により区画した場合、印画シート２は、一方の領域１１および他方の領域１２からなる二つの領域からなっている。また図１（ｂ）に示すように、印画シート２の一方の領域１１の側端部１１ａ近傍には、側端部１１ａに沿って三つの半円状の切込１３が形成されている。なお一方の領域１１の側端部１１ａとは、一方の領域１１の端部のうち折曲線２０から最も遠位にある端部のことである。同様に、他方の領域１２の側端部１２ａは、他方の領域１２の端部のうち折曲線２０から最も遠位にある端部として定義される。
【００２１】
図１（ａ）に示すように、印画シート２が二つ折りにされて二つ折り招待状１となった状態において、他方の領域１２の側端部１２ａが、一方の領域１１の半円状の切込１３に挿入されている。すなわち、他方の領域１２の側端部１２ａは、一方の領域１１の半円状の切込１３に対して固定されている。このため、二つ折り招待状１において、二つ折りの状態が強固に維持され得る。
【００２２】
印画シートの層構成
次に図２を参照して、印画シート２の層構成について説明する。図２は、印画シート２の層構成を示す断面図である。
【００２３】
図２に示すように、印画シート２は、紙基材３と、紙基材３の両面上に設けられ、印画シート２の両側表面（一面２ａおよび他面２ｂ）に位置する樹脂層７，７と、を有している。このうち各樹脂層７，７は、図２に示すように、紙基材３の両面に順次積層されたプライマー層４、受容層５、および保護層６を含んでいる。
【００２４】
このうち紙基材３は紙単体、樹脂フィルム単体、または紙と樹脂フィルムの積層体から構成される。
【００２５】
プライマー層４としては、オレフィン系樹脂、例えばポリエチレン樹脂、ポリプロピレン樹脂等が用いられる。受容層５は、昇華転写により印画シート２上に画像が形成される際に昇華性インク（図示せず）を受容する層であり、塩化ビニル系樹脂、例えば、塩化ビニル酢酸ビニル共重合体等が用いられる。また保護層６としては、アクリル系樹脂等の熱可塑性樹脂等が用いられる。
【００２６】
このようにして印画シート２を構成することにより、サーマルヘッドを用いた感熱昇華転写を用いて、印画シート２に写真を高画質で印画することが可能となる。また第３の実施の形態または第４の実施の形態において後述するように、印画シート２の樹脂層７は、印画シート２の一方の領域１１を他方の領域に対して溶着により固定するための溶融性樹脂層としても機能する。
【００２７】
なお印画シート２の樹脂層７の層構成が上述の構成に限られることはなく、求められる印画特性などに応じて、樹脂層７の層構成が適宜設定される。このような樹脂層７の厚みは、例えば１０〜１００μｍの範囲内となっている。このため、印画シート２における樹脂層７は、一般に厚くて腰がある層となっている。
【００２８】
二つ折り招待状の作製装置
次に図３を参照して、二つ折り招待状１を作製するための作製装置３０について説明する。図３に示すように、作製装置３０は、第１プレート３１と、第１プレート３１に対向するよう第１プレート３１の下方に設けられた第２プレート４１と、第１プレート３１に対して固定されるとともに第２プレート４１に対して弾性体３６ａを介して連結され、上下方向に延びる支持機構３６と、を備えている。なお弾性体３６ａは、実際には支持機構３６の内部に設けられているが、図３においては便宜上、弾性体３６ａが実線で表されている。
【００２９】
また図３に示すように、支持機構３６は第１プレート３１を貫通して第１プレート３１の上方まで延びており、この支持機構３６の上端には、カム３８に結合されたカム軸３７が連結されている。このような構成により、カム３８のレバー３８ａを下方に押し下げることによって第１プレート３１を下方へ駆動することが可能となっている。
【００３０】
図３に示すように、第１プレート３１の下面側には、印画シート２を貫通して印画シート２に上述の半円状の切込１３を形成するための半円状の抜き刃３２と、印画シート２を押圧して印画シート２に折曲線２０を形成するための罫線刃３３と、が設けられている。また第２プレート４１は、第１プレート３１の抜き刃３２に対応する位置に、抜き刃３２を受けるための受け部４２を有している。さらに第２プレート４１は、第１プレート３１の罫線刃３３に対応する位置に、罫線刃３３を受けるための罫溝４３を有している。このため、第１プレート３１と第２プレート４１との間に印画シート２を載置し、次に、カム３８を用いて第１プレート３１を下方へ駆動することにより、印画シート２に、抜き刃３２に対応する切込１３と、罫線刃３３に対応する折曲線２０と、を形成することができる。なお、印画シート２を第１プレート３１と第２プレート４１との間に載置する際の位置決めを容易にするため、図３に示す位置決めガイド４６が設けられていてもよい。
【００３１】
二つ折り招待状の作製方法
次に、このような構成からなる本実施の形態の作用について説明する。ここでは、二つ折り招待状１の作製方法について、図４（ａ）〜（ｄ）を参照して説明する。
【００３２】
はじめに、図４（ａ）に示すように印画シート２を準備する。次に、図４（ｂ）に示すように、印画シート２の各樹脂層７の受容層５に、昇華性インク（図示せず）を用いる昇華転写により所定の画像８を印画する。
【００３３】
その後、印画済の印画シート２を、作製装置３０の第１プレート３１と第２プレート４１の間に載置する。次に、カム３８を用いて第１プレート３１を下方へ駆動する。これによって、図４（ｃ）に示すように、印画済の印画シート２に折曲線２０が形成される（折曲線形成工程）。同時に、図４（ｃ）に示すように、印画シート２の一方の領域１１の側端部１１ａ近傍に、側端部１１ａに沿って三つの半円状の切込１３が形成される（切込形成工程）。
【００３４】
ところで、二つ折りにされた印画シート２が樹脂層７の弾性に起因して再び開こうとする力であって、印画シート２の他方の領域１２に作用する力は、一般に、折曲線２０から遠くなるにつれて弱くなると考えられる。従って、切込１３を上述のように側端部１１ａ近傍に設けることにより、二つ折りの状態をより強固に維持することが可能となると考えられる。
ここで、「側端部１１ａ近傍」とは、具体的には以下のように定義される。例えば、印画シート２の一方の領域１１の幅をｄとした場合、切込１３は、一方の領域１１の側端部１１ａから切込１３までの距離ｄ１が３〜１５ｍｍ、望ましくは５〜８ｍｍの範囲内となるよう形成される。また、折曲線２０は、他方の領域１２の側端部１２ａが一方の領域１１の切込１３に挿入され得るよう位置決めされる。ここで、印画シート２の一方の領域１１の幅ｄは特には限定されないが、例えば、幅ｄは５０〜２００ｍｍの範囲内となっている。
【００３５】
次に図４（ｄ）に示すように、印画シート２を折曲線２０に沿って二つ折りにし、その際、他方の領域１２の側端部１２ａを、一方の領域１１の半円状の切込１３に挿入する。これによって、他方の領域１２の側端部１２ａが、一方の領域１１の半円状の切込１３に対して固定される。このようにして、二つ折りの状態が強固に維持される二つ折り招待状１が作製される。
【００３６】
本実施の形態によれば、印画シート２は、紙基材３と、紙基材３の両面に設けられ、昇華性インクを受容する受容層５を含む樹脂層７と、を有している。また、折曲線２０により区画される印画シート２の二つの領域のうち一方の領域１１の側端部１１ａ近傍に、他方の領域１２の側端部１２ａが挿入される切込１３が形成される。このため、印画シート２を二つ折りにする際、他方の領域１２の側端部１２ａを一方の領域１１の切込１３に挿入することにより、他方の領域１２を一方の領域１１に対して固定することができる。このことにより、二つ折り招待状１を構成する印画シート２が受容層５を含む樹脂層７を有する場合であっても、二つ折りの状態を強固に維持することができる。
【００３７】
また本実施の形態によれば、印画シート２に折曲線２０を形成する折曲線形成工程と、印画シート２の一方の領域１１に半円状の切込１３を形成する切込形成工程とが同時に実施される。このため、印画シート２を単に二つ折りにする場合と同一の工数で、印画シート２の一方の領域１１に半円状の切込１３を形成することができる。このことにより、二つ折り招待状１を短時間で安価に作製することができる。
【００３８】
作製装置の変形例
なお本実施の形態において、作製装置３０における抜き刃３２の配置が調整可能となっていてもよい。これによって、印画シート２の一方の領域１１に形成される半円状の切込１３の位置を任意に調整することができる。この場合、抜き刃３２の配置を調整可能とするための具体的な構成が特に限られることはない。例えば図５に示すように、抜き刃３２が、弾性体５１ａを介して第１プレート３１に取り付けられた支持台５１に固定されていてもよい。この場合、支持台５１を図５に示す位置決めネジ５２を用いて水平方向に移動させることにより、作製装置３０における抜き刃３２の配置を調整することができる。
【００３９】
印画シートの変形例
また本実施の形態において、印画シート２の一方の領域１１に三つの半円状の切込１３が形成される例を示した。しかしながら、これに限られることはなく、図６（ａ）（ｂ）に示すように、印画シート２の一方の領域１１に、半円状の切込１３に加えて、スリット状の切込１４が形成されていてもよい。この場合、図６（ｂ）に示すように、他方の領域１２の側端部１２ａが一方の領域１１のスリット状の切込１４に容易に挿入され得るよう、他方の領域１２のうちスリット状の切込１４に対応する位置に切欠部１５が形成されていてもよい。
【００４０】
その他の変形例
また本実施の形態において、印画シート２に折曲線２０を形成する折曲線形成工程と、印画シート２の一方の領域１１に半円状の切込１３を形成する切込形成工程とが同時に実施される例を示した。しかしながら、これに限られることはなく、まず印画シート２に折曲線２０を形成し、その後に印画シート２の一方の領域１１に半円状の切込１３を形成してもよい。若しくは、まず印画シート２の一方の領域１１に半円状の切込１３を形成し、その後に印画シート２に折曲線２０を形成してもよい。
【００４１】
第２の実施の形態
次に図７（ａ）（ｂ）および図８を参照して、本発明の第２の実施の形態について説明する。ここで図７（ａ）は、本発明の第２の実施の形態における二つ折り招待状を示す図であり、図７（ｂ）は、図７（ａ）に示す二つ折り招待状を開いた場合を示す図である。図８は、二つ折り招待状を作製するための作製装置を示す図である。
【００４２】
図７（ａ）（ｂ）および図８に示す第２の実施の形態は、印画シートの他方の領域に設けられた突出部が一方の領域の切込に挿入される点が異なるのみであり、他の構成は、図１乃至図６（ａ）（ｂ）に示す第１の実施の形態と略同一である。図７（ａ）（ｂ）および図８に示す第２の実施の形態において、図１乃至図６（ａ）（ｂ）に示す第１の実施の形態と同一部分には同一符号を付して詳細な説明は省略する。
【００４３】
二つ折り印画物
図７（ｂ）に示すように、印画シート２の一方の領域１１の側端部１１ａ近傍には、スリット状の切込１４が形成されている。また他方の領域１２の側端部１２ａ近傍には、他方の領域１２から突出可能な突出部１６が設けられている。この突出部１６は、具体的には、まず他方の領域１２のうち、印画シート２が二つ折りにされる際に一方の領域１１の切込１４に対応する部分に半円状の切込を入れ、次に切込が入れられた部分を他方の領域１２の他面２ｂ上から引き上げることにより形成されている。なお「側端部１１ａ近傍」および「側端部１２ａ近傍」の定義は、上述の第１の実施の形態における「側端部１１ａ近傍」の定義と同一であるので、詳細な説明は省略する。
【００４４】
図７（ａ）は、図７（ｂ）に示す印画シート２が二つ折りにされて二つ折り招待状１となった状態を示す図である。この場合、他方の領域１２の突出部１６が、一方の領域１１のスリット状の切込１４に挿入されている。すなわち、他方の領域１２の突出部１６は、一方の領域１１のスリット状の切込１４に対して固定されている。このため、二つ折り招待状１において、二つ折りの状態が強固に維持され得る。
【００４５】
二つ折り招待状の作製装置
次に図８を参照して、本実施の形態における作製装置３０について説明する。図８に示すように、第１プレート３１の下面側には、印画シート２を貫通して印画シート２の一方の領域１１に上述のスリット状の切込１４を形成するための直線状の抜き刃３４が設けられている。さらに第１プレート３１の下面側には、印画シート２を貫通して印画シート２の他方の領域１２に半円状の切込を入れて上述の突出部１６を形成するための半円状の抜き刃３５が設けられている。また第２プレート４１は、第１プレート３１の直線状の抜き刃３４および半円状の抜き刃３５に対応する位置に、抜き刃３４，３５を受けるための受け部４２，４５を有している。その他の構成要素については、図３に示す第１の実施の形態の場合と略同一であるので、詳細な説明は省略する。また、図５に示す第１の実施の形態の変形例の場合と同様に、直線状の抜き刃３４および半円状の抜き刃３５の配置がそれぞれ調整可能となっていてもよい。
【００４６】
本実施の形態によれば、印画シート２は、紙基材３と、紙基材３の両面に設けられ、昇華性インクを受容する受容層５を含む樹脂層７と、を有している。また、折曲線２０により区画される印画シート２の二つの領域のうち一方の領域１１の側端部１１ａ近傍に、他方の領域１２に設けられた突出部１６が挿入される切込１４が形成される。このため、印画シート２を二つ折りにする際、他方の領域１２の突出部１６を一方の領域１１の切込１４に挿入することにより、他方の領域１２を一方の領域１１に対して固定することができる。このことにより、二つ折り招待状１を構成する印画シート２が受容層５を含む樹脂層７を有する場合であっても、二つ折りの状態を強固に維持することができる。
【００４７】
また本実施の形態によれば、他方の領域１２に設けられた突出部１６が、一方の領域１１の切込１４に挿入される。このため本実施の形態によれば、印画シート２が二つ折りにされて二つ折り招待状１となった状態において、一方の領域１１と他方の領域１２とを密着させ、かつ一方の領域１１の側端部１１ａと他方の領域１２の側端部１２ａとをぴったりと一致させることが可能となる。このことにより、より意匠性の高い二つ折り招待状１を提供することができる。
【００４８】
変形例
なお本実施の形態において、印画シート２の他方の領域１２の突出部１６が、他方の領域１２に半円状の切込を入れることにより形成される例を示した。しかしながら、これに限られることはなく、印画シート２とは別個のタブなどの部品を他方の領域１２に取り付けることにより、他方の領域１２の突出部１６を形成してもよい。
また本実施の形態において、上述の第１の実施の形態の場合と同様に、印画シート２の一方の領域１１に、他方の領域１２の側端部１２ａが挿入される半円状の切込１３がさらに設けられていてもよい。
【００４９】
第３の実施の形態
次に図９（ａ）（ｂ）を参照して、本発明の第３の実施の形態について説明する。ここで図９（ａ）は、本発明の第３の実施の形態における二つ折り招待状を示す図であり、図９（ｂ）は、図９（ａ）に示す二つ折り招待状を開いた場合を示す図である。
【００５０】
図９（ａ）（ｂ）に示す第３の実施の形態は、印画シートの一方の領域が他方の領域に対して溶着される点が異なるのみであり、他の構成は、図１乃至図６（ａ）（ｂ）に示す第１の実施の形態と略同一である。図９（ａ）（ｂ）に示す第３の実施の形態において、図１乃至図６（ａ）（ｂ）に示す第１の実施の形態と同一部分には同一符号を付して詳細な説明は省略する。
【００５１】
二つ折り印画物
図９（ａ）（ｂ）に示すように、印画シート２が二つ折りにされて二つ折り招待状１となった状態において、印画シート２の一方の領域１１と他方の領域１２は、一方の領域１１と他方の領域１２の間に形成される点状溶着部１７を介して互いに接合されている。この点状溶着部１７は、図９（ａ）に示すように側端部１１ａ，１２ａ近傍に形成されている。なお「側端部１１ａ近傍」および「側端部１２ａ近傍」の定義は、上述の第１の実施の形態における「側端部１１ａ近傍」の定義と同一であるので、詳細な説明は省略する。
【００５２】
二つ折り招待状の作製方法
次に、このような構成からなる本実施の形態の作用について説明する。ここでは、二つ折り招待状１の作製方法について説明する。
【００５３】
はじめに、印画シート２を準備する。次に、印画シート２の各樹脂層７の受容層５に、昇華性インク（図示せず）を用いる昇華転写により所定の画像８を印画する。その後、印画済の印画シート２を二つ折りにするための折曲線２０を形成する。これらの工程は、上述の第１の実施の形態の場合と略同一であるので、詳細な説明は省略する。
【００５４】
次に、印画済の印画シート２を折曲線２０に沿って二つ折りにする。その後、一方の領域１１および他方の領域１２を点状で加熱し、これによって印画シート２の樹脂層７を溶融させる。このことにより、図９（ａ）に示すように、一方の領域１１および他方の領域１２の間に点状溶着部１７が形成される。これによって、他方の領域１２が一方の領域１１に対して固定される。このため、二つ折り招待状１を構成する印画シート２が受容層５を含む樹脂層７を有する場合であっても、二つ折りの状態を維持することができる。
【００５５】
ここで、一方の領域１１および他方の領域１２を点状で加熱する際の加熱温度は、加熱による画像８の劣化を抑制するとともに、形成される点状溶着部１７が人の力により破壊され得るよう、適宜設定される。例えば、一方の領域１１および他方の領域１２を点状で加熱する際の加熱温度は、１００〜１１０度の範囲内に設定される。
【００５６】
図９（ｂ）は、図９（ａ）に示す二つ折り招待状１を開いた場合を示す図である。図９（ｂ）に示すように、一方の領域１１および他方の領域１２のうち点状溶着部１７が形成されていた場所には、点状溶着部の痕１７ａ，１７ｂがそれぞれ残っている。ここで上述のように、点状溶着部１７は、一方の領域１１および他方の領域１２を点状で加熱して樹脂層７を溶融させることにより形成されるものである。従って、二つ折り招待状１を一旦開いた後、再び印画シート２を単に二つ折りにしたとしても、（点状溶着部の痕１７ａ，１７ｂが再び加熱されない限りにおいて、）点状溶着部の痕１７ａ，１７ｂが再び互いに接合されることはない。すなわち、一旦開かれた二つ折り招待状１は、通常、再び閉じられ得ない。このため、作製された二つ折り招待状１が例えば意図しない何者かによって開かれた場合、開かれたことを示す証拠が印画シート２に残ることになる。このような特性を利用することにより、二つ折り招待状１のセキュリティ性を高めることができる。
【００５７】
第４の実施の形態
次に図１０（ａ）（ｂ）を参照して、本発明の第４の実施の形態について説明する。ここで図１０（ａ）は、本発明の第４の実施の形態における二つ折り招待状を示す図であり、図１０（ｂ）は、図１０（ａ）に示す二つ折り招待状を開いた場合を示す図である。
【００５８】
図１０（ａ）（ｂ）に示す第４の実施の形態は、印画シートの一方の領域を他方の領域に対して溶着することにより形成される溶着部が線状溶着部からなる点が異なるのみであり、他の構成は、図９（ａ）（ｂ）に示す第３の実施の形態と略同一である。図１０（ａ）（ｂ）に示す第４の実施の形態において、図９（ａ）（ｂ）に示す第３の実施の形態と同一部分には同一符号を付して詳細な説明は省略する。
【００５９】
二つ折り印画物
図１０（ａ）（ｂ）に示すように、印画シート２が二つ折りにされて二つ折り招待状１となった状態において、印画シート２の一方の領域１１と他方の領域１２は、一方の領域１１と他方の領域１２の間に形成される線状溶着部１８を介して互いに接合されている。この線状溶着部１８は、図１０（ａ）に示すように折曲線２０近傍において折曲線２０に平行に延びるよう形成されている。なお「折曲線２０近傍」とは、具体的には以下のように定義される。例えば、印画シート２の一方の領域１１の幅をｄ（図４（ｃ）参照）とした場合、線状溶着部１８は、折曲線２０から線状溶着部１８までの距離ｄ２が２〜１０ｍｍ、望ましくは４〜８ｍｍの範囲内となるよう形成される。
【００６０】
二つ折り招待状の作製方法
次に、このような構成からなる本実施の形態の作用について説明する。ここでは、二つ折り招待状１の作製方法について説明する。
【００６１】
はじめに、印画シート２を準備する。次に、印画シート２の各樹脂層７の受容層５に、昇華性インク（図示せず）を用いる昇華転写により所定の画像８を印画する。その後、印画済の印画シート２を二つ折りにするための折曲線２０を形成する。これらの工程は、上述の第１の実施の形態の場合と略同一であるので、詳細な説明は省略する。
【００６２】
次に、印画済の印画シート２を折曲線２０に沿って二つ折りにする。その後、一方の領域１１および他方の領域１２を線状で加熱し、これによって印画シート２の樹脂層７を溶融させる。このことにより、図１０（ａ）に示すように、一方の領域１１および他方の領域１２の間に線状溶着部１８が形成される。これによって、他方の領域１２が一方の領域１１に対して固定される。このため、二つ折り招待状１を構成する印画シート２が受容層５を含む樹脂層７を有する場合であっても、二つ折りの状態を維持することができる。
【００６３】
ここで、一方の領域１１および他方の領域１２を線状で加熱する際の加熱温度は、加熱による画像８の劣化を抑制するとともに、形成される線状溶着部１８が人の力により破壊され得るよう、適宜設定される。例えば、一方の領域１１および他方の領域１２を線状で加熱する際の加熱温度は、１００〜１１０度の範囲内に設定される。
【００６４】
図１０（ｂ）は、図１０（ａ）に示す二つ折り招待状１を開いた場合を示す図である。図１０（ｂ）に示すように、一方の領域１１および他方の領域１２のうち線状溶着部１８が形成されていた場所には、線状溶着部の痕１８ａ，１８ｂがそれぞれ残っている。これら線状溶着部の痕１８ａ，１８ｂは、上述の第３の実施の形態における点状溶着部の痕１７ａ，１７ｂの場合と同様に、（線状溶着部の痕１８ａ，１８ｂが再び加熱されない限りにおいて、）再び互いに接合されることはない。すなわち、一旦開かれた二つ折り招待状１は、通常は、再び閉じられ得ない。本実施の形態においても、このような特性を利用することにより、二つ折り招待状１のセキュリティ性を高めることができる。
【００６５】
変形例
なお上述の形態において、二つ折り招待状１を開く際に線状溶着部１８が破壊される例を示した。しかしながら、これに限られることはなく、線状溶着部１８を破壊することなく二つ折り招待状１を開くことが可能となっていてもよい。これによって、二つ折り招待状１を開いた後、再び二つ折り招待状１を閉じることが可能となる。なお、この場合、二つ折り招待状１を開いた際に線状溶着部１８が破壊されない程度の強度を線状溶着部１８が有するよう、加熱の際の温度が適宜設定される。
【００６６】
その他の変形例
また上述の各実施の形態において、所定の画像８が印画された印画済の印画シート２が単体で二つ折りにされる例を示した。しかしながら、これに限られることはなく、印画シート２を二つ折りにする際、その内側に紙などの媒体を挟んでもよい。
【００６７】
また、切込１３，１４、突出部１６、点状溶着部１７または線状溶着部１８の具体的な形状が上述の形状に限られることはなく、求められる強度や意匠性に応じて様々な形状で設計され得る。
【符号の説明】
【００６８】
１      二つ折り招待状
２      印画シート
２ａ    印画シートの一面
２ｂ    印画シートの他面
３      紙基材
４      プライマー層
５      受容層
６      保護層
７      樹脂層
８      画像
１１    一方の領域
１１ａ  一方の領域の側端部
１２    他方の領域
１２ａ  他方の領域の側端部
１３    半円状の切込
１４    スリット状の切込
１５    切欠部
１６    突出部
１７    点状溶着部
１７ａ  点状溶着部の痕
１７ｂ  点状溶着部の痕
１８    線状溶着部
１８ａ  線状溶着部の痕
１８ｂ  線状溶着部の痕
２０    折曲線
３０    作製装置
３１    第１プレート
３２    半円状の抜き刃
３３    罫線刃
３４    直線状の抜き刃
３５    半円状の抜き刃
３６    支持機構
３６ａ  弾性体
３７    カム軸
３８    カム
３８ａ  レバー
４１    第２プレート
４２    受け部
４３    罫溝
４５    受け部
４６    位置決めガイド
５１    抜き刃支持台
５１ａ  弾性体
５２    位置決めネジ
【図１】
2012071959.tif 000003
【図２】
2012071959.tif 000004
【図３】
2012071959.tif 000005
【図４】
2012071959.tif 000006
【図５】
2012071959.tif 000007
【図６】
2012071959.tif 000008
【図７】
2012071959.tif 000009
【図８】
2012071959.tif 000010
【図９】
2012071959.tif 000011
【図１０】
2012071959.tif 000012